(57)【要約】【課題】電磁流量計の測定管とアース電極との芯合わせ（位置合わせ）を容易にすることができる簡単な構造を備えた電磁流量計を提供すること。【解決手段】被測定流体が流れる測定管と、この測定管と前記被測定流体が流れる管路との間に設置されるアース電極とを備えた電磁流量計において、  前記アース電極の前記測定管の側に、前記測定管の端部の外周面の全面または一部の面に嵌め合わせる内周面を有する測定管側位置合わせ部を備えたことを特徴とする。【選択図】図１
2009121842.tif 000002
【特許請求の範囲】
【請求項１】
被測定流体が流れる測定管と、この測定管と前記被測定流体が流れる管路との間に設置されるアース電極とを備えた電磁流量計において、
前記アース電極の前記測定管の側に、前記測定管の端部の外周面の全面または一部の面に嵌め合わせる内周面を有する測定管側位置合わせ部を備えた、
ことを特徴とする電磁流量計。
【請求項２】
前記内周面と前記外周面とは、雌ねじと雄ねじとによって螺合することを特徴とする請求項１に記載の電磁流量計。
【請求項３】
前記アース電極の前記管路の側に、前記管路の端部に設けられた管路フランジの平面座の外周面の全面または一部の面に嵌め合わせる内周面を有する管路側位置合わせ部を備えたことを特徴とする請求項１または２に記載の電磁流量計。
【請求項４】
前記管路側位置合わせ部は着脱可能であることを特徴とする請求項３に記載の電磁流量計。
【発明の詳細な説明】
【技術分野】
【０００１】
本発明は、電磁流量計に関し、特に、電磁流量計の測定管とアース電極との位置合わせの構造に関するものである。
【背景技術】
【０００２】
上流管路１４ａおよび下流管路１４ｂに接続される電磁流量計１０について、図７を用いて説明する。図７（ａ）は、上流管路１４ａ、下流管路１４ｂおよび電磁流量計１０の接続状態を示す正面図である。なお、電磁流量計１０は、プロセス制御において、上流管路１４ａおよび下流管路１４ｂに流れる流量を制御するための流量検出を行う。
【０００３】
図７（ａ）において、電磁流量計１０は、測定管１１、変換部１２、上流測定管フランジ１３ａ、下流測定管フランジ１３ｂ、上流アース電極１６ａ、下流アース電極１６ｂおよび固定部１７ａ〜１７ｄを備えている。
【０００４】
変換部１２に接続された測定管１１の上流側端部および下流側端部には、それぞれ上流測定管フランジ１３ａおよび下流測定管フランジ１３ｂを備えている。そして、上流測定管フランジ１３ａから上流側（図７（ａ）の紙面右側）に測定管１１の端部が突き出している。同様に、下流測定管フランジ１３ｂから下流側（図７（ａ）の紙面左側）に測定管１１の端部が突き出している。
【０００５】
上流アース電極１６ａは、上流管路１４ａの端部に固定された上流管路フランジ１５ａと上流測定管フランジ１３ａとの間に設置されるとともに、上流アース電極１６ａに溶接された固定部１７ａ、１７ｂにより上流測定管フランジ１３ａに固定される。同様に、下流アース電極１６ｂは、下流管路フランジ１５ｂと下流測定管フランジ１３ｂとの間に設置されるとともに、固定部１７ｃ、１７ｄにより下流測定管フランジ１３ｂに固定される。
【０００６】
測定管１１の内部には、磁界発生部および測定電極（いずれも図示しない）を備えている。被測定流体Ｆｄが上流から下流に流れるとき、磁界発生部から発生した磁界が加えられた被測定流体Ｆｄに起電力が発生し、測定電極がこの起電力を検出する。そして、変換部１２は、この起電力に基づいて被測定流体Ｆｄの流量を演算する。
【０００７】
なお、上流アース電極１６ａは、固定部１７ａ、１７ｂ、上流測定管フランジ１３ａなどを介して接地することにより、起電力に重畳するノイズが低減され、正確で安定した流量が得られる。下流アース電極１６ｂも同様に機能する。
【０００８】
また、図７（ｂ）は、上流管路１４ａおよび上流管路フランジ１５ａを取り外した状態における電磁流量計１０の右側面図であり、上流アース電極１６ａの被測定流体Ｆｄ流入口から被測定流体Ｆｄが測定管１１へ流れ込む。
【０００９】
【特許文献１】特開平７−２０９０４６号公報
【特許文献２】特開平１０−４８０１５号公報
【特許文献３】特開２００２−３１８１４３号公報
【発明の開示】
【発明が解決しようとする課題】
【００１０】
ところで、上流アース電極１６ａが固定部１７ａおよび取り付けねじ１８ａにより上流測定管フランジ１３ａへ固定されるが、固定部１７ａが板金状で、この長さ（上流アース電極１６ａとの溶接部から取り付けねじ１８ａまでの長さ）が長い場合には、固定部１７ａは曲がることがある。これは、固定部１７ｂ〜１７ｄも同様である。
【００１１】
また、上流管路１４ａを取り付ける場合、上流管路フランジ１５ａがボルト１９ａ、１９ｂおよびナット２０ａ、２０ｂを介して上流測定管フランジ１３ａに取り付けられる。この取り付けるときに、上流管路フランジ１５ａから上流アース電極１６ａおよび固定部１７ａ、１７ｂに対して力が加わって、固定部１７ａ、１７ｂが曲がることがある。固定部１７ｃ、１７ｄも、下流管路１４ｂを取り付ける場合に同様に曲がることがある。
【００１２】
固定部１７ａ〜１７ｄが曲がることにより、上流アース電極１６ａおよび下流アース電極１６ｂの芯が、測定管１１、上流管路１４ａおよび下流管路１４ｂの芯と合わなくなることがある。この芯のずれによって、被測定流体Ｆｄの上流から下流への流れが妨げられて、正確な流量測定ができないことがある。
【００１３】
なお、上流アース電極１６ａおよび下流アース電極１６ｂがアースリングの場合のほか、上流管路フランジ１５ａおよび下流管路フランジ１５ｂによって挟み込む形の電磁流量計においても、同様のことが起こりうる。
【００１４】
一方、特許文献１〜３において、芯を合わせる構造が開示されている。
【００１５】
しかし、特許文献１の図２の構造は、アースリング（７）とガスケット（１０）との芯を合わせるものである。このため、アースリング（７）とガスケット（１０）の検出器測定管（１２）への取り付け方によっては、アースリング（７）およびガスケット（１０）の芯は、検出器測定管（１２）の芯と合わないことがある。
【００１６】
特許文献２の図１の構造は、固定具（２７ａ〜２７ｄ）によりアースリング（２２）を円筒部（２４）の外周に固定することによって、円筒部（２４）とアースリング（２２）との芯を合わせるものである。しかし、平面状である固定具（２７ａ〜２７ｄ）は、曲面状である円筒部（２４）の外周と完全に合わないため、、円筒部（２４）とアースリング（２２）との芯が合わなくなることがある。
【００１７】
特許文献３の図３の構造は、アースリング（３０）の円筒状部（３２）によって、アースリング（３０）と本管（１１）との芯を合わせるものであるが、アースリング（３０）の構造は複雑である。
【００１８】
本発明の目的は、電磁流量計の測定管とアース電極との芯合わせ（位置合わせ）を容易にすることができる簡単な構造を備えた電磁流量計を提供することである。
【課題を解決するための手段】
【００１９】
このような目的を達成するために、請求項１の発明は、
被測定流体が流れる測定管と、この測定管と前記被測定流体が流れる管路との間に設置されるアース電極とを備えた電磁流量計において、
前記アース電極の前記測定管の側に、前記測定管の端部の外周面の全面または一部の面に嵌め合わせる内周面を有する測定管側位置合わせ部を備えた、
ことを特徴とする。
【００２０】
請求項２の発明は、請求項１に記載の発明において、
前記内周面と前記外周面とは、雌ねじと雄ねじとによって螺合することを特徴とする。
【００２１】
請求項３の発明は、請求項１または２に記載の発明において、
前記アース電極の前記管路の側に、前記管路の端部に設けられた管路フランジの平面座の外周面の全面または一部の面に嵌め合わせる内周面を有する管路側位置合わせ部を備えたことを特徴とする。
【００２２】
請求項４の発明は、請求項３に記載の発明において、
前記管路側位置合わせ部は着脱可能であることを特徴とする。
【発明の効果】
【００２３】
本発明によれば、電磁流量計の測定管とアース電極との芯合わせ（位置合わせ）を容易にすることができる簡単な構造を備えた電磁流量計によって、芯合わせ（位置合わせ）を容易にすることができるとともに、測定流体の上流から下流への流れが妨げられないで、正確な流量測定を行うことができる。
【発明を実施するための最良の形態】
【００２４】
［第１の実施例］
図１は、上流管路１４ａ（管路）、下流管路１４ｂ（管路）および電磁流量計３０の接続状態を示す正面図であり、これを用いて第１の実施例を説明する。本実施例は、上流測定管側位置合わせ部３１ａ（測定管側位置合わせ部）および下流測定管側位置合わせ部３１ｂ（測定管側位置合わせ部）を備えることにより、電磁流量計の測定管１１、上流アース電極１６ａ（アース電極）と下流アース電極１６ｂ（アース電極）の芯合わせ（位置合わせ）を容易にするものである。
【００２５】
図１において、電磁流量計３０は、測定管１１、変換部１２、上流測定管フランジ１３ａ、下流測定管フランジ１３ｂ、上流アース電極１６ａ、下流アース電極１６ｂ、固定部１７ａ〜１７ｄ、取り付けねじ１８ａ〜１８ｄ、上流測定管側位置合わせ部３１ａおよび下流測定管側位置合わせ部３１ｂを備えている。
【００２６】
また、上流管路１４ａ、上流管路フランジ１５ａ（管路フランジ）、下流管路１４ｂおよび下流管路フランジ１５ｂ（管路フランジ）を備えている。そして、図１の紙面右側を上流、左側を下流として、被測定流体Ｆｄが、上流管路１４ａ、上流管路フランジ１５ａ、上流アース電極１６ａ、測定管１１、下流アース電極１６ｂ、下流管路フランジ１５ｂおよび下流管路１４ｂを経由して、上流から下流に流れる。
【００２７】
変換部１２に接続された測定管１１の内部には、磁界発生部（図示しない）および被測定流体Ｆｄが接する内面に測定電極（図示しない）が備えられている。一対の測定電極は対向しており、この対向方向と発生した磁界の方向とは直交する。
【００２８】
測定管１１の上流側端部および下流側端部には、それぞれ上流測定管フランジ１３ａおよび下流測定管フランジ１３ｂが、例えば溶接などにより固定されている。
【００２９】
そして、上流測定管フランジ１３ａから上流側（図１の紙面右側）に測定管１１の端部が突き出している。同様に、下流測定管フランジ１３ｂから下流側（図１の紙面左側）に測定管１１の端部が突き出している。
【００３０】
また、上流管路１４ａの端部には、上流管路フランジ１５ａが、例えば溶接などにより固定されており、同様に、下流管路１４ｂの端部には、下流管路フランジ１５ｂが固定されている。
【００３１】
上流アース電極１６ａは、上流管路１４ａの上流管路フランジ１５ａと突き出した測定管１１との間に設置される。なお、測定管１１と上流アース電極１６ａとの芯合わせ（位置合わせ）のため、上流測定管側位置合わせ部３１ａが設けられている。
【００３２】
さらに、上流アース電極１６ａは、上流測定管側位置合わせ部３１ａおよび固定部１７ａ、１７ｂを介して上流測定管フランジ１３ａに固定（測定管１１側に固定）される。
【００３３】
固定部１７ａ、１７ｂの一端は、例えば溶接などにより上流測定管側位置合わせ部３１ａに固定され、他端は、取り付けねじ１８ａ、１８ｂを用いて上流測定管フランジ１３ａに固定される。なお、固定部１７ａ、１７ｂの一端は、上流アース電極１６ａへ溶接などにより直接固定されてもよい。
【００３４】
上流管路フランジ１５ａおよび上流測定管フランジ１３ａは、ボルト１９ａ、１９ｂおよびナット２０ａ、２０ｂによって、上流アース電極１６ａ、上流測定管側位置合わせ部３１ａおよび測定管１１の端部を挟む形で固定される。
【００３５】
また、下流アース電極１６ｂ、下流管路１４ｂ、下流管路フランジ１５ｂ、下流側の測定管１１、下流測定管側位置合わせ部３１ｂ、固定部１７ｃ、１７ｄ、取り付けねじ１８ｃ、１８ｄ、下流測定管フランジ１３ｂ、ボルト１９ｃ、１９ｄおよびナット２０ｃ、２０ｄが、上述したように上流側と同様に取り付けられる。
【００３６】
そして、電磁流量計３０は、以下のように流量を測定する。
【００３７】
被測定流体Ｆｄが上流から下流に流れるとき、磁界発生部から発生した磁界が加えられた被測定流体Ｆｄに起電力が発生し（電磁誘導）、一対の測定電極がこの起電力を検出する。そして、変換部１２は、受け取った起電力に基づいて被測定流体Ｆｄの流速値および流量値を演算し、流量値に関連する信号を出力する。なお、変換部１２は、図１のように測定管１１に直接接続される一体型のほか、測定管１１と離れた場所に設置されケーブルで接続される分離型であってもよい。
【００３８】
つぎに、上流測定管側位置合わせ部３１ａによって、測定管１１と上流アース電極１６ａの芯合わせ（位置合わせ）をするための構造を図２を用いて説明する。
【００３９】
図２は、図１に示した、測定管１１、上流測定管フランジ１３ａ、上流アース電極１６ａ、固定部１７ａ、１７ｂ、取り付けねじ１８ａ、１８ｂおよび上流測定管側位置合わせ部３１ａの部分拡大図である。ここで、上流測定管フランジ１３ａの上流側（図２の紙面右側）に突き出した測定管１１、上流アース電極１６ａ、固定部１７ａ、１７ｂ、取り付けねじ１８ａ、１８ｂおよび上流測定管側位置合わせ部３１ａの上部を縦断面図として示している。
【００４０】
図２において、上流測定管側位置合わせ部３１ａは、上流アース電極１６ａの外周面および測定管１１側に設けられている。上流測定管側位置合わせ部３１ａは、上流アース電極１６ａの外周面に溶接されたり、上流アース電極１６ａと一体成形されていてもよい。
【００４１】
そして、上流測定管側位置合わせ部３１ａは、上流アース電極１６ａの左端面から突き出した部分を有し（例えばこの部分は円筒形）、この部分の内周面４３は、測定管１１の端部（円筒形）の外周面４２の全面に嵌め合わせることができる。
【００４２】
ここで、上流測定管側位置合わせ部３１ａおよび上流アース電極１６ａを測定管１１の端部に取り付ける方法について説明する。
【００４３】
上流アース電極１６ａに対し溶接または一体成形された上流測定管側位置合わせ部３１ａの内周面４３を、測定管１１の端部の外周面４２の全面に嵌め合わせることにより、測定管１１と上流アース電極１６ａとの芯合わせ（位置合わせ）をすることができる。
【００４４】
その後、固定部１７ａ、１７ｂの他端を、取り付けねじ１８ａ、１８ｂを用いて上流測定管フランジ１３ａに固定して、取り付けが完了する。
【００４５】
なお、上流アース電極１６ａの外側は金属部４０を有し、絶縁性材料からなるライニング４１が金属部４０の内側に設けられている。上流測定管側位置合わせ部３１ａは電気伝導率の大きい材料（例えば金属）からなるため、上流アース電極１６ａは、上流測定管側位置合わせ部３１ａ、固定部１７ａ、１７ｂ、上流測定管フランジ１３ａなどを介して接地する。
【００４６】
下流測定管側位置合わせ部３１ｂおよび下流アース電極１６ｂを測定管１１の端部に取り付ける方法も上述したように上流側と同様であり、下流においても、測定管１１と下流アース電極１６ｂとの芯合わせ（位置合わせ）をすることができる。
【００４７】
また、上流測定管側位置合わせ部３１ａの形状を変更した上流測定管側位置合わせ部４５（測定管側位置合わせ部）を用いた例について、図３を用いて説明する。図３において、図２と同一のものは同一符号を付し説明を省略し、以下に図２との相違点を中心に説明する。
【００４８】
図３において、上流測定管側位置合わせ部４５の上流アース電極１６ａ左端面から突き出した部分は、凹部４６と凸部４７のように凹凸状になっている（凹凸の繰り返しも含む）。すなわち、凸部４７が、上流アース電極１６ａの左端面から突き出している。
【００４９】
そして、凸部４７の内周面４３は、測定管１１の端部の外周面４２の一部の面に嵌め合わせることができ、これにより、測定管１１と上流アース電極１６ａとの芯合わせ（位置合わせ）をすることができる。
【００５０】
下流においても同様の測定管側位置合わせ部（図示しない）を用いることにより、測定管１１と下流アース電極１６ｂとの芯合わせ（位置合わせ）をすることができる。
【００５１】
また、挟み込み型電磁流量計も同様に芯合わせ（位置合わせ）をすることができる。これについて図４を用いて説明する。図４は、上流管路１４ａ、下流管路１４ｂおよび電磁流量計５０の接続状態を示す正面図である。図４において、図１と同一のものは同一符号を付し説明を省略し、以下に図１との相違点を中心に説明する。
【００５２】
図４において、測定管５１には、上流測定管フランジ１３ａおよび下流測定管フランジ１３ｂ（図１参照）は固定されていない。上流管路フランジ１５ａおよび下流管路フランジ１５ｂは、ボルト５２ａ、５２ｂおよびナット５３ａ、５３ｂを介して、上流アース電極１６ａ、上流測定管側位置合わせ部３１ａ、測定管５１、下流測定管側位置合わせ部３１ｂ、下流アース電極１６ｂを挟む形で固定される。
【００５３】
そして、図２に示したのと同様に、測定管５１と上流アース電極１６ａとの芯合わせ（位置合わせ）をすることができる。また、図３に示したように、上流測定管側位置合わせ部３１ａが上流測定管側位置合わせ部４５のように凹凸状になっていてもよい。
【００５４】
下流においても同様に、下流測定管側位置合わせ部３１ｂを用いることにより、測定管５１と下流アース電極１６ｂとの芯合わせ（位置合わせ）をすることができる。
【００５５】
本実施例によれば、電磁流量計の測定管（１１、５１）とアース電極（１６ａ、１６ｂ）との芯合わせ（位置合わせ）を容易にすることができる簡単な構造（測定管側位置合わせ部（３１ａ、３１ｂ、４５））を備えた電磁流量計（３０、５０）によって、芯合わせ（位置合わせ）を容易にすることができるとともに、被測定流体（Ｆｄ）の上流から下流への流れが妨げられないで、正確な流量測定を行うことができる。
【００５６】
さらに、電磁流量計に管路（１４ａ、１４ｂ）を取り付けるときアース電極などに力が加わるが、測定管側位置合わせ部によって、測定管とアース電極との芯のずれ（位置のずれ）を抑制することができ、管路の取り付け作業を容易にすることができる。
【００５７】
［第２の実施例］
図２に戻り、図２の変形例によって、第２の実施例を説明する。第２の実施例は、外周面４２および内周面４３にねじを有するものであり、以下に、図２からの変更点を中心に説明する。
【００５８】
図２において、微小流量を測定する電磁流量計（例えば口径が１５ｍｍ以下）の測定管１１の端部の外周面４２には、雄ねじが設けられているものがある。このような電磁流量計において、上流測定管側位置合わせ部３１ａの内周面４３は、この雄ねじに螺合する雌ねじを有している。
【００５９】
ここで、上流測定管側位置合わせ部３１ａおよび上流アース電極１６ａを測定管１１の端部に取り付ける方法について説明する。
【００６０】
内周面４３の雌ねじを外周面４２の雄ねじにねじ込むことにより（上流測定管側位置合わせ部３１ａおよび上流アース電極１６ａを回してねじ込む）、測定管１１と上流アース電極１６ａとの芯合わせ（位置合わせ）をすることができる。
【００６１】
双方のねじの螺合により、上流アース電極１６ａおよび上流測定管側位置合わせ部３１ａは測定管１１に固定することができるので、固定部１７ａ、１７ｂおよび取り付けねじ１８ａ、１８ｂは必ずしも必要ではない。
【００６２】
なお、上流アース電極１６ａは、上流測定管側位置合わせ部３１ａ、雌ねじと雄ねじの螺合、測定管１１、上流測定管フランジ１３ａなどを介して接地する。
【００６３】
なお、図３の変形例として、上流測定管側位置合わせ部４５の凸部４７の内周面４３に雌ねじを有してもよい。
【００６４】
また、図５において、上流測定管側位置合わせ部６１（測定管側位置合わせ部）が袋ナット構造である場合について説明する。図５は、図２に相当する部分拡大図（一部縦断面図）である。
【００６５】
袋ナット構造は以下の構造を有する。上流測定管側位置合わせ部６１は上流アース電極６０（アース電極）の外周面に設けられており、上流アース電極６０とは別体である。上流測定管側位置合わせ部６１の内周面６５は、測定管１１の端部の外周面６４に設けられた雄ねじに螺合する雌ねじを有している。
【００６６】
ここで、上流測定管側位置合わせ部６１および上流アース電極６０を測定管１１の端部に取り付ける方法について説明する。
【００６７】
上流アース電極６０の端面を測定管１１の端面に接触させてから、上流測定管側位置合わせ部６１を測定管１１の端部にねじ込む。ねじ込むことによって、上流測定管側位置合わせ部６１のＡ部端面が上流アース電極６０を測定管１１の方向に押圧し、上流アース電極６０が固定されて、測定管１１と上流アース電極６０との芯合わせ（位置合わせ）をすることができる。
【００６８】
下流においても上述した上流側と同様に、測定管１１と下流アース電極１６ｂとの芯合わせ（位置合わせ）をすることができる。また、これらの例は、図４の挟み込み型電磁流量計５０に利用することもできる。
【００６９】
本実施例の図２、図３の変形例によれば、測定管１１の端部の外周面４２に雄ねじが設けられている電磁流量計において、上流測定管側位置合わせ部（３１ａ、４５）を測定管１１の端部にねじ込むことによって、電磁流量計の測定管１１と上流アース電極１６ａとの芯合わせ（位置合わせ）をさらに容易にすることができる。
【００７０】
また、図５の袋ナット構造によれば、上流アース電極６０を回すことなく、上流測定管側位置合わせ部６１だけをねじ込めばよく、さらに容易に芯合わせ（位置合わせ）をすることができる。
【００７１】
［第３の実施例］
測定管１１と上流アース電極１６ａとの芯合わせ（位置合わせ）に加え、上流アース電極１６ａと上流管路１４ａとの芯合わせ（位置合わせ）も併せて行う第３の実施例について図６を用いて説明する。図６は、図２に相当する部分拡大図（一部縦断面図）である。
【００７２】
図６は、図２と以下の点で相違する。上流管路１４ａの端部に設けられた上流管路フランジ７３（管路フランジ）の端面（図６の紙面の左端面）の一部が、外側に突き出ている（以下、この突き出し部を「平面座」という）。また、上流管路側位置合わせ部７０（管路側位置合わせ部）を備えている。
【００７３】
図６において、図２と同一のものは同一符号を付し説明を省略し、以下に図２との相違点を中心に説明する。
【００７４】
図６において、上流管路側位置合わせ部７０は、上流アース電極１６ａの外周面および上流管路１４ａ側に設けられている。上流管路側位置合わせ部７０は、上流アース電極１６ａの外周面に溶接されたり、上流アース電極１６ａと一体成形されていてもよい。
【００７５】
そして、上流管路側位置合わせ部７０は、上流アース電極１６ａの右端面から突き出した部分を有し（例えばこの部分は円筒形）、この部分の内周面７２は、平面座（円筒形）の外周面７１の全面に嵌め合わせることができる。
【００７６】
ここで、上流管路側位置合わせ部７０および上流アース電極１６ａを上流管路フランジ７３の平面座に取り付ける方法について説明する。
【００７７】
上流測定管側位置合わせ部３１ａおよび上流アース電極１６ａを測定管１１の端部に取り付けた後、上流管路側位置合わせ部７０の内周面７２を、平面座の外周面７１の全面に嵌め合わせることにより、上流管路１４ａと上流アース電極１６ａとの芯合わせ（位置合わせ）をすることができる。
【００７８】
その後、上流管路フランジ７３および上流測定管フランジ１３ａは、ボルト１９ａ、１９ｂおよびナット２０ａ、２０ｂを介して固定されて、取り付けが完了する。
【００７９】
なお、上流管路側位置合わせ部７０の上流アース電極１６ａ右端面から突き出した部分が、図３の上流測定管側位置合わせ部４５のような凹凸状であれば、凸部の内周面７２は、平面座の外周面７１の一部の面に嵌め合わせることができる。これにより、上流管路１４ａと上流アース電極１６ａとの芯合わせ（位置合わせ）をすることができる。
【００８０】
下流においても上述した上流側と同様に、下流管路１４ｂと下流アース電極１６ｂとの芯合わせ（位置合わせ）をすることができる。上流測定管側位置合わせ部３１ａおよび上流管路側位置合わせ部７０は一体であってもよい。また、これらの例は、図４の挟み込み型電磁流量計５０に利用することもできる。
【００８１】
本実施例によれば、さらに、簡単な構造（上流管路側位置合わせ部７０）によって、管路（１４ａ）とアース電極（１６ａ）との芯合わせ（位置合わせ）を容易にすることができるとともに、被測定流体（Ｆｄ）の上流から下流への流れが妨げられないで、正確な流量測定を行うことができる。
【００８２】
また、図６に戻り、上流管路側位置合わせ部７０は、上流アース電極１６ａと着脱可能であってもよい。
【００８３】
上流管路フランジ７３は、ＪＩＳ規格などにより、平面座の外周面７１の直径が異なるものがある。上流管路側位置合わせ部７０が着脱可能であれば、様々な直径を有する平面座の外周面７１に嵌め合わせることができる内周面７２を有する上流管路側位置合わせ部７０に交換することによって、上流管路１４ａと上流アース電極１６ａとの芯合わせ（位置合わせ）をすることができる。
【００８４】
なお、第１から第３の実施例におけるアース電極は、アースリングであってもよい。
【００８５】
なお、本発明は、前述の実施例に限定されることなく、その本質を逸脱しない範囲で、さらに多くの変更および変形を含むほか、前述した各部の組み合わせ以外の組み合わせを含むことができる。
【図面の簡単な説明】
【００８６】
【図１】本発明を適用した電磁流量計３０と上流管路１４ａ、下流管路１４ｂとの接続状態を示す正面図である。
【図２】図１における上流測定管側位置合わせ部３１ａなどの部分拡大図である。
【図３】本発明を適用した上流測定管側位置合わせ部４５などの部分拡大図である。
【図４】本発明を適用した挟み込み型電磁流量計５０と上流管路１４ａ、下流管路１４ｂとの接続状態を示す正面図である。
【図５】本発明を適用した袋ナット構造を有する上流測定管側位置合わせ部６１などの部分拡大図である。
【図６】本発明を適用した上流管路側位置合わせ部７０などの部分拡大図である。
【図７】背景技術における電磁流量計１０と上流管路１４ａ、下流管路１４ｂとの接続状態を示す正面図および電磁流量計１０の右側面図である。
【符号の説明】
【００８７】
１１、５１  測定管
１４ａ  上流管路
１４ｂ  下流管路
１６ａ、６０  上流アース電極
１６ｂ  下流アース電極
１７ａ〜１７ｄ  固定部
３０、５０  電磁流量計
３１ａ、４５、６１  上流測定管側位置合わせ部
３１ｂ  下流測定管側位置合わせ部
４２  外周面
４３  内周面
６４  外周面（雄ねじ）
６５  内周面（雌ねじ）
７０  上流管路側位置合わせ部
７１  平面座の外周面
７２  内周面
【図１】
2009121842.tif 000003
【図２】
2009121842.tif 000004
【図３】
2009121842.tif 000005
【図４】
2009121842.tif 000006
【図５】
2009121842.tif 000007
【図６】
2009121842.tif 000008
【図７】
2009121842.tif 000009